(57)【要約】【課題】簡易な構造で照明装置の位置調節における操作性を向上させるとともに、当該照明装置の破損等を防止して安全性を高めることが可能な投光機を提供する。【解決手段】台車１０に立設した支柱（伸縮支柱２０）に、取付部材（照明架台３０）を介して照明装置（照明バルーン５０）を装備した投光機Ｔにおいて、前記照明装置の支持部（支持ポール５３）は、前記照明装置が鉛直方向に回動自在となるように係合手段（第１クラッチ７１及び第２クラッチ７２）を介して前記取付部材に係合されており、前記照明装置の支持部には、把持手段（把持部７８）が設けられている投光機とした。【選択図】  図２
2004227878.tif 000002
【特許請求の範囲】
【請求項１】
台車に立設した支柱に、取付部材を介して照明装置を装備した投光機において、
前記照明装置の支持部は、前記照明装置が鉛直方向に回動自在となるように係合手段を介して前記取付部材に係合されており、
前記照明装置の支持部には、把持手段が設けられていることを特徴とする投光機。
【請求項２】
前記係合手段は、前記取付部材と前記照明装置の支持部とにそれぞれ設けられているクラッチ部材から構成されていることを特徴とする請求項１に記載の投光機。
【請求項３】
前記取付部材は、前記照明装置が水平方向に回動自在となるように前記支柱の上端部に取り付けられており、
前記取付部材には、前記支柱に対して前記水平方向の回動範囲を規制するための回動範囲規制手段が設けられていることを特徴とする請求項１又は請求項２に記載の投光機。
【発明の詳細な説明】
【０００１】
【発明の属する技術分野】
本発明は、台車に立設した支柱に照明装置を装備した投光機に関する。
【０００２】
【従来の技術】
屋外における夜間の道路工事や建設現場用等の照明装置として、エンジン駆動発電機（以下、「発電機」という）を供給電源とした各種の投光機が存在している。
【０００３】
例えば、バルーン型投光機は、台車に立設した支柱に照明バルーンが取り付けられた装置である。この照明バルーンは、薄い可撓性の材料である膨張可能な外被の内部に照明装置を収納した構成となっており、使用時には、前記外被を膨張させた状態で、台車に載置した発電機から電力を供給することにより照明を行うことができるようになっている（特許文献１参照）。
【０００４】
図９に示すように、従来のバルーン型投光機Ｔ’における照明バルーン５０’は、支柱１０’の上部に取り付けられた照明架台３０’にボルト（図示せず）により固定されている。また、前記照明バルーン５０’の支持ポール５３’が、照明架台３０’から突出している鉛直パイプ７６’に鉛直方向に回動自在となるように取り付けられており、角度調節レバー８０’によって、その位置を固定できるようになっている。
【０００５】
前記バルーン型投光機Ｔ’は、良好に照明を行うために、使用時において、鉛直方向の照明バルーン５０’の角度調節を行う必要があるが、当該作業を行うためには、角度調節レバー８０’を緩め、支持ポール５３’を直接手で把持しながら適切な位置になるように照明バルーン５０’の向きを調節する作業を行っていた。
なお、前記作業を簡易に行うために、照明装置の水平方向及び鉛直方向の位置調節を行うためにモータを取り付けた投光機（以下、「位置調節モータ付投光機」という）が提案されている（特許文献２参照）。
【０００６】
【特許文献１】
特開平１０−１８８６２２号公報（第２頁−第４頁、図１）
【特許文献２】
特開２００２−２９８６３６号公報（第２頁−第５頁、図１）
【０００７】
【発明が解決しようとする課題】
しかし、照明バルーンの角度調節を行う場合に、前記バルーン型投光機では、細い支持ポールを直接手で把持しながら適切な位置になるように照明バルーンの向きを調節する作業を行わなければならないため、作業性が非常に悪いという問題点を有していた。
また、位置調節モータ付投光機では、構成部品が多く、機構も複雑となることから製造費用が増加してしまうという問題点を有していた。
【０００８】
さらに、前記バルーン型投光機では、作業終了時に外被の空気を抜き、照明バルーンを鉛直下方に回転させた状態でフードカバーを被せる作業を行う。その際、不用意に照明バルーンを鉛直下方に回転させると、照明バルーンは水平方向及び鉛直方向に自由に回動を行うことができる状態となるため、支持ポールや、発電機の上面に付設されている吊上用金具等に高価な外被が接触して、破損してしまう危険があるという問題点を有していた。
【０００９】
本発明は、前記の課題を解決するためになされたものであり、簡易な構造で照明装置の位置調節作業における操作性を向上させるとともに、当該照明装置の破損等を防止して安全性を高めることを可能とする投光機を提供することを目的としている。
【００１０】
【課題を解決するための手段】
前記課題を解決するために、本発明の投光機は、台車に立設した支柱に、取付部材を介して照明装置を装備した投光機において、前記照明装置の支持部は、前記照明装置が鉛直方向に回動自在となるように係合手段を介して前記取付部材に係合されており、前記照明装置の支持部には、把持手段が設けられていることを特徴としている。
【００１１】
ここで、前記係合手段は、前記取付部材と前記照明装置の支持部とにそれぞれ設けられているクラッチ部材から構成されており、両クラッチが係合しながら、前記照明装置の支持部が前記取付部材に対して、鉛直方向に回動自在となっている構成とすれば、正確に回動角度を調節することができる。
【００１２】
本発明によれば、照明装置の支持部に把持手段が設けられていることから、把持手段を持ちながら当該把持手段を上下方向に移動させることにより、照明装置の鉛直方向の回動角度を調節することができる。従って、直接、照明装置の支持部を持ちながら回動角度を調節する場合と比較して、その作業を容易に行うことができる。
【００１３】
また、前記取付部材は、前記照明装置が水平方向に回動自在となるように前記支柱の上端部に取り付けられており、前記取付部材には、前記支柱に対して前記水平方向の回動範囲を規制するための回動範囲規制手段が設けられている構成とするものであってもよい。
【００１４】
本発明によれば、前記取付部材は、水平方向に回動自在となるように前記支柱の上端部に取り付けられており、前記取付部材には前記水平方向の回動範囲を規制するための回動範囲規制手段が設けられていることから、作業終了時に照明装置を鉛直下方に回転させて収納する際に、万一不用意に照明装置を鉛直下方に回転させた場合であっても、当該照明装置が意図しない対象にぶつかることによる破壊等を防ぐことができる。
【００１５】
【発明の実施の形態】
本発明の実施形態について、バルーン型投光機（以下、「投光機Ｔ」という）を例として、図面を参照して詳細に説明する。
【００１６】
［全体構成］
図１及び図７に示すように、本発明の投光機Ｔは、車輪１１によって移動自在である台車１０上に設置された発電機１２と、当該発電機１２の後方で台車１０に固定された伸縮支柱２０を備えており、当該伸縮支柱２０の上端に照明架台３０（取付部材）を介して照明バルーン５０（照明装置）が装備されている。そして、前記伸縮支柱２０を伸縮させることで、その上部に固定され、発電機１２と電源ケーブル（図示せず）を介して接続されている照明バルーン５０の高さを調節し、所定の場所を照射することができるようになっている。
【００１７】
前記台車１０の後端部には、移動用ハンドル１４とアウトリガ１５が設けられている。そして、台車１０の前端縁に近接して、防音ケース１２ａに収納された発電機１２が載置されており、当該発電機１２と移動用ハンドル１４の間には、四角筒状の伸縮支柱２０が立設している。
【００１８】
この伸縮支柱２０は、外側の固定支柱２１と、当該固定支柱２１の中空部に内嵌され、昇降自在となっている可動支柱２５とから構成されている。
前記可動支柱２５の上端部には、四角筒状の上枠２６が固着されている。また、固定支柱２１の周囲には、四角筒状の下枠２３が当該固定支柱２１の壁面に摺動自在に設けられており、可動支柱２５の上枠２６と固定支柱２１の下枠２３とは連結管２８で連結されている。そして、固定支柱２１の下枠２３には、２本一対の昇降ハンドル２９が固着されており、当該昇降ハンドル２９を把持しながら可動支柱２５を昇降させることができるようになっている。
なお、符号２２は、固定支柱２１の上枠である。
【００１９】
［照明架台］
図２に示すように、可動支柱２５の上枠２６には、架台取付ブラケット４０を介して、水平方向に回動自在（以下、水平方向の回動を「旋回」という）に照明架台３０が設けられている。
【００２０】
図３に示すように、照明架台３０は、中空である細長の四角柱体の一方の長側面（長辺を有している側面）が閉塞されていない形状をなしており、長手方向が水平となっている。
短手方向側の一方の側面（以下、「短側面」という）の外側面（そとがわめん）には、第１クラッチ７１（係合手段）が溶接されている（以下、第１クラッチ７１が取り付けられている側の短側面を「クラッチ側短側面３０ａ」という）。この第１クラッチ７１はリング状であり、表面周縁部には所定ピッチで山部と谷部が交互に形成されている歯合部７１ａが形成されている。
前記クラッチ側短側面３０ａにおける第１クラッチ７１の中央空間部７１ｂに対応する位置には、植込ボルト７３（図２）が突設されている。
【００２１】
また、照明架台３０の長辺側の側面（閉塞されていない側面と対向する側面、以下、「長側面３０ｂ」という）における第１クラッチ７１が設けられていない短側面３０ｅの近傍には、レバー挿通孔３１が形成されている。
そして、前記レバー挿通孔３１に対応する位置における、照明架台３０の底面３０ｃには、後記架台取付ブラケット４０の円筒体４１よりやや大径である円形の貫通孔３０ｄ（図８）が形成されているとともに、当該貫通孔３０ｄの周囲には円筒３２が固着されている。
【００２２】
さらに、円筒３２の長側面３０ｂ側には、レバー挿通孔３１と連通する円孔３２ａが設けられており、当該円孔３２ａを塞ぐとともに、レバー挿通孔３１から突出するようにナット３８が円筒３２に溶接されている。
そして、後記するように、照明架台３０の旋回位置を調節するための固定レバー３７がナット３８に挿通されることにより取り付けられている。
この固定レバー３７は、Ｌ字状であり先端の雄ねじ部３７ａがナット３８の中央孔に挿通されているとともに、他端部を把持できるようになっている（以下、他端部を「レバー把持部３７ｂ」という）。
【００２３】
前記照明架台３０の長側面３０ｂの外側であり、円筒３２の近傍におけるクラッチ側短側面３０ａ方向の外側面（そとがわめん）に、底面３０ｃから突出する長さである第１ストッパピン３５（回動範囲規制手段）が設けられている。
そして、照明架台３０における底面３０ｃの長側面３０ｂに対向する面（閉塞されていない側面）側の側縁部であって、側面視で第１ストッパピン３５よりややクラッチ側短側面３０ａ方向寄りには、底面３０ｃの上下に突出して、第２ストッパピン３６（回動範囲規制手段）が設けられている。
【００２４】
一方、図４に示すように、架台取付ブラケット４０は、円筒体４１と、上部基板４２、下部基板４３及び側板４４を有している。
円筒体４１は、高さ方向の略中間部における水平方向に、前記固定レバー３７の雄ねじ部３７ａが係止される所定幅の係止溝部４１ａが全周にわたって形成されており、上部基板４２と下部基板４３を貫通するようにして、両基板４２，４３に固着されている。
【００２５】
上部基板４２は長方形状、下部基板４３は正方形状であり、当該上部基板４２は下部基板４３よりも幅広かつ長寸法に形成されており、前記係止溝部４１ａの下方に上部基板４２と下部基板４３が所定高さだけ離間して設けられている。この上部基板４２と下部基板４３の間には、上部基板４２の長手方向に、２枚一対の側板４４が対向して設けられている。前記側板４４には、それぞれ２個の取付孔４４ａが設けられており、当該側板４４を可動支柱２５の上枠２６の中空部に内嵌し、取付孔４４ａにボルト（図示せず）を挿通することにより、架台取付ブラケット４０が可動支柱２５の上枠２６に固定されている。
【００２６】
そして、円筒体４１の上部基板４２より上方の部分が、照明架台３０の底面３０ｃにおける貫通孔３０ｄを通った状態で照明架台３０の円筒３２の内側に貫入されることにより、円筒体４１の中心を回動軸として照明架台３０が伸縮支柱２０に対して旋回自在となっている。
さらに、円筒体４１の係止溝部４１ａが、照明架台３０のレバー挿通孔３１の高さに位置するようになっており、ナット３８に挿通された固定レバー３７の雄ねじ部３７ａの先端が、円筒体４１の係止溝部４１ａに当接可能となっている。これにより、レバー把持部３７ｂを水平状態にすることで係止溝部４１ａに当該固定レバー３７の雄ねじ部３７ａを係止して、照明架台３０の位置を固定することができるようになっている。
【００２７】
また、固定レバー３７の把持部３７ｂを鉛直方向（反時計回り）に約９０度回転させ、係止溝部４１ａに当該固定レバー３７の雄ねじ部３７ａが係止されている状態を解除し、自由に旋回可能な状態とすることで、照明架台３０の旋回位置を調節することができるようになっている。
【００２８】
このとき、第１ストッパピン３５と第２ストッパピン３６は、架台取付ブラケット４０の上部基板４２と当接する位置にまで下方に突出しており、照明架台３０が平面視で反時計回り（図８（ａ）における白抜き矢印方向に回転した場合には、上部基板４２と第２ストッパピン３６が当接して、それ以上は旋回することができないようになっている（図８（ｂ））。また、照明架台３０が平面視で時計回り（図８（ａ）における黒塗り矢印方向）に回転した場合には、上部基板４２と第１ストッパピン３５が当接して、それ以上は旋回することができないようになっている（図８（ｃ））。
【００２９】
［照明バルーン］
図２及び図７に示すように、照明バルーン５０は、バルーン本体５１と当該バルーン本体５１の照明具５２を覆う外被５５とから形成されており、鉛直方向回動機構７０を介して、鉛直方向に回動自在となるように照明架台３０に取り付けられている。
【００３０】
バルーン本体５１は、照明具５２と当該照明具５２の底部から延出している支持ポール５３（支持部）とから形成されている。前記照明具５２は、細長である略円錐台形状のライトであり、発電機１２から供給される電力により照明を行うことができるようになっている。
外被５５は薄い可撓性の材料から形成され、ブロワ（図示せず）から内部に送気することにより楕円形状（平面視）に膨張可能となっており、ファスナ（図示せず）の開閉による内部圧力の変化で、照明がオン／オフするようになっている。
なお、符号５４は保護カバーを示しており、外部に突出している、外皮５５の内部の圧力を検出する圧力センサ（図示せず）のチューブ内に水滴等が浸入することを防ぎ、圧力センサが故障することを防止する役割を果たしている。
【００３１】
一方、鉛直方向回動機構７０は、前記第１クラッチ７１、第２クラッチ７２、前記植込ボルト７３、回動ハンドル７５及びクランプレバー８０を主要部として構成されている。
図５に示すように、回動ハンドル７５は、直線状の第１パイプ材７６と、へ字形状の第２パイプ材７７から形成され、第１パイプ材７６の中空部に第２パイプ材７７の端部が内嵌された状態で溶接されており、第２パイプ材７７の内嵌部７７ａと反対側の端部にグリップが装着された把持部７８（把持手段）が設けられている。第１パイプ材７６の溶接部７６ａと反対側の端部の近傍には、小孔７６ｃが形成されており、照明バルーン５０の支持ポール５３を第１パイプ材７６に内嵌し、当該支持ポール５３に形成されている取付用突起（図示せず）を小孔７６ｃに嵌め込むことにより固定することで、回動ハンドル７５に照明バルーン５０を取り付けることができるようになっている。
【００３２】
また、第１パイプ材７６の正面には、第２クラッチ７２（係合手段）が溶接されている。この第２クラッチ７２はリング状であり、表面周縁部には、第１クラッチ７１と歯合（係合）するように、所定ピッチで山部と谷部が交互に形成されている歯合部７２ａが形成されている。
【００３３】
そして、第１パイプ材７６における第２クラッチ７２の中央空間部７２ｂの位置と、反対側の同位置にはクランプレバー挿通孔７６ｃ，７６ｄ（以下、第２クラッチが取り付けられている面と対向する面を「外側面」という）が形成されている。
【００３４】
図２に示すように、クランプレバー８０は、斜め方向に延出しているレバー部８１と、当該レバー部８１の基端部に直交する雌ねじ部８２から形成されており、当該雌ねじ部８２は、筒状体の内側部に雌ねじが形成されている構造となっている。
【００３５】
そして、通常時において、照明バルーン５０の支持ポール５３は、回動ハンドル７５の第１パイプ材７６に取り付けられた状態で、第２クラッチ７２の歯合部７２ａと、照明架台３０における第１クラッチ７１の歯合部７１ａとを完全に歯合させて回動することができないようにして、クランプレバー８０により固定されている。
クランプレバー８０は、雌ねじ部８２が第１パイプ材７６の外側面側から、クランプレバー挿通孔７６ｄ，７６ｃと、第２クラッチ７２及び第１クラッチ７１の中央の空間部７２ｂ，７１ｂとを貫通して、植込ボルト７３の雄ねじ部（図示せず）と螺合しており、第１パイプ材７６に照明架台３０方向の押圧力を付与することで、照明バルーン５０と照明架台３０とが固定された状態となっている。
【００３６】
一方、クランプレバー８０のレバー部８１を所定方向に回転させることにより、植込ボルト７３と雌ねじ部８２の螺合を解除して緩めることで、第１パイプ材７６に付与される照明架台３０方向の押圧力が弱められ、第２クラッチ７２と第１クラッチ７１の歯合の程度も弱められることで、第１パイプ材７６に固定されている照明バルーン５０を、クランプレバー８０の雌ねじ部８２の部分を回動軸として、鉛直方向に回動することができるようになる。
【００３７】
なお、符号７４Ａは、第１クラッチ７１と第２クラッチ７２の間に介装されているスプリング（スプリングワッシャでもよい）であり、クランプレバー８０を緩めたときに、両クラッチ７１，７２の歯合を円滑に解除する役割を果たすものである。
また、符号７４Ｂは、クランプレバー８０と第１パイプ材７６の間に介装されているワッシャである。
【００３８】
［作用］
○鉛直方向の回動方向の調節
まず、照明バルーン５０を鉛直方向に回動させる場合について説明する。
作業者は、クランプレバー８０のレバー部８１を所定方向に回転させることにより、植込ボルト７３と雌ねじ部８２の螺合を解除させ、第１クラッチ７１と第２クラッチ７２の歯合を解除する。このとき、前記第１クラッチ７１と第２クラッチ７２を完全に離間させ、或いは、完全に離間させるのではなく、各歯合部７１ａ，７２ａが歯合しながら回動可能となる程度に歯合の程度を弱める。
この状態で、把持部７８を握りながら所望の角度となるように回動ハンドル７５を回動させ、照明バルーン５０の鉛直方向の回動角度を調節する。
【００３９】
そして、クランプレバー８０を前記回転方向と反対方向に回転させて、植込ボルト７３と雌ねじ部８２を螺合させることで、第１パイプ材７６に照明架台３０方向の押圧力を付与し、照明架台３０における第１クラッチ７１の歯合部７１ａと回動ハンドル７５の第２クラッチ２の歯合部７２ａとを完全に歯合させて回動することができないようにして、照明バルーン５０と照明架台３０とを固定することで作業が完了する。
【００４０】
このように、本発明の投光機Ｔによれば、照明バルーン５０の支持ポール５３に固定されている回動ハンドル７５に、グリップが装着されたが把持部７８が設けられていることから、把持部７８を持ちながら当該把持部７８を上下方向に移動させることにより、照明バルーン５０の鉛直方向の回動角度を調節することができる。従って、直接、照明バルーン５０の支持ポール５３を持ちながら回動角度を調節する場合と比較して、その作業を容易に行うことができる。
【００４１】
また、第１クラッチ７１及び第２クラッチ７２には、それぞれ歯合部７１ａ，７２ａが設けられており、両歯合部７１ａ，７２ａを歯合させながら、照明バルーン５０の支持ポール５３を照明架台３０に対して鉛直方向に回動させることができるため、正確に回動角度を調節することが可能となる。
【００４２】
なお、作業終了時には、外被５５の空気を抜いた後、前記と同様の方法によりバルーン本体５１を伸縮支柱２０と同方向である鉛直下方に位置する向きとなるように回転させ、バルーン本体５１にフードカバー（図示せず）を装着することになる。
【００４３】
○水平方向の旋回方向の調節
次に、照明バルーン５０を水平方向に旋回させる場合について説明する。
固定レバー３７のレバー把持部３７ｂを鉛直方向（反時計回り）に約９０度回転させることで、架台取付ブラケット４０の係止溝部４１ａに当該固定レバー３７の雄ねじ部３７ａが係止されている状態を解除し、前記レバー把持部３７ｂを持ちながら、照明架台３０に固定されている照明バルーン５０が所定位置になるようにその位置を調節する。
そして、固定レバー３７のレバー把持部３７ｂを水平状態にして、係止溝部４１ａに当該固定レバー３７の雄ねじ部３７ａを係止することで、照明架台３０及び照明バルーン５０の位置を固定する。
【００４４】
このとき、照明架台３０を平面視で反時計回り（図８（ａ）における白抜き矢印方向））に回転させた場合において、上部基板４２と第２ストッパピン３６が当接する位置に達すると、照明架台３０はそれ以上旋回することができないため、旋回位置が規制されることになる（図８（ｂ））。
また、照明架台３０を平面視で時計回り（図８（ａ）における黒塗り矢印方向）に回転させた場合において、上部基板４２と第１ストッパピン３５が当接する位置に達すると、照明架台３０はそれ以上旋回することができないため、旋回位置が規制されることになる（図８（ｃ））。
【００４５】
このように、回動規制手段である第１ストッパピン３５と第２ストッパピン３６の存在により、照明架台３０の回動範囲が規制されていることから、作業終了時に照明バルーン５０を鉛直下方に収納する際に、万一不用意に照明バルーン５０を鉛直下方に回転させた場合であっても、支持ポール５３や、発電機１２の上面に付設されている吊上用金具等に高価な外被５５が接触して、破損してしまうこと等を防止することができる。
【００４６】
以上のように、本発明の投光機Ｔによれば、簡易な構造で照明バルーン５０の位置調節作業における操作性を向上させることができるとともに、位置調節作業時において、照明バルーン５０が意図しない対象にぶつかることによる破壊等を効果的に防止することができる。
【００４７】
本発明について、好適な実施形態の一例を説明した。しかし、本発明は、前記実施形態に限られず、前記の各構成要素については、本発明の趣旨を逸脱しない範囲で、適宜設計変更が可能である。
特に、投光機は、バルーン型投光機だけではなく、一般的な投光機に使用することができることは言うまでもない。
【００４８】
【発明の効果】
本発明の投光機によれば、簡易な構造で照明装置の位置調節作業における操作性を向上させるとともに、当該照明装置の破損等を防止して安全性を高めることができる。
【図面の簡単な説明】
【図１】本発明のバルーン型投光機（作業終了時）を示す側面図である。
【図２】本発明のバルーン型投光機（作業終了時）の上部を拡大した背面図である。
【図３】照明架台を示す斜視図である。
【図４】本発明の架台取付ブラケットを示す斜視図である。
【図５】旋回ハンドルを示す正面図である。
【図６】保護カバーを示す斜視図である。
【図７】本発明のバルーン型投光機（作業時）の上部を拡大した背面図である。
【図８】（ａ）〜（ｃ）ともに、照明架台と架台取付ブラケットの関係を示す横断面図である（他の要素は省略している）。
【図９】従来のバルーン型投光機（作業時）を示す側面図である。
【符号の説明】
Ｔ      バルーン型投光機（投光機）
１０    台車
２０    伸縮支柱
２１    固定支柱
２５    可動支柱
３０    照明架台（取付部材）
３０ａ  クラッチ側短側面
３０ｂ  長側面
３１    レバー挿通孔
３２    円筒
３５    第１ストッパピン（回動範囲規制手段）
３６    第２ストッパピン（回動範囲規制手段）
３７    固定レバー
４０    架台取付ブラケット
４１    円筒体
４１ａ  係止溝部
４２    上部基板
４３    下部基板
５０    照明バルーン（照明装置）
５１    バルーン本体
５２    照明具
５３    支持ポール（支持部）
５５    外被
７０    鉛直方向回動機構
７１    第１クラッチ（係合手段）
７１ａ  歯合部
７２    第２クラッチ（係合手段）
７２ａ  歯合部
７３    植込ボルト
７５    回動ハンドル
７６    第１パイプ材
７７    第２パイプ材
７８    把持部（把持手段）
８０    クランプレバー
８１    レバー部
８２    雌ねじ部
【図１】
2004227878.tif 000003
【図２】
2004227878.tif 000004
【図３】
2004227878.tif 000005
【図４】
2004227878.tif 000006
【図５】
2004227878.tif 000007
【図６】
2004227878.tif 000008
【図７】
2004227878.tif 000009
【図８】
2004227878.tif 000010
【図９】
2004227878.tif 000011